(57)【要約】【課題】足裏しびれ、上下肢しびれ、指関節痛、腫れ、五十肩、頭痛、腰痛、膝痛、肘痛、筋肉痛、肩こり等を効果的に緩和ないし解消させる接触針であって、構造が簡単で安価に製造することができると共に手軽に使用することができる接触針を提供する。【解決手段】支持体１と、該支持体の表面に突設した多数の針体３とよりなり、  該針体は、０．０１〜０．２０ｍｍの針径と０．１〜２．０ｍｍの針長とを備え、相互に０．１〜５．０ｍｍの間隔を置いて配設されていることを特徴とする接触針。前記支持体の裏面に粘着体１１を設け、該粘着体は該支持体と反対側の裏面に粘着手段１３を備えている。前記支持体の裏面に粘着体を設け、該粘着体は該支持体側の表面に粘着手段を備えている。前記支持体に着脱自在の柄部を備えさせる。【選択図】図１
0003120940.tif 000002
【実用新案登録請求の範囲】
【請求項１】
支持体と、該支持体の表面に突設した多数の針体とよりなり、
該針体は、０．０１〜０．２０ｍｍの針径と０．１〜２．０ｍｍの針長とを備え、相互に０．１〜５．０ｍｍの間隔を置いて配設されていることを特徴とする接触針。
【請求項２】
前記支持体の裏面に粘着体を設け、該粘着体は該支持体と反対側の裏面に粘着手段を備えていることを特徴とする請求項１に記載の接触針。
【請求項３】
前記支持体の裏面に粘着体を設け、該粘着体は該支持体側の表面に粘着手段を備えていることを特徴とする請求項１に記載の接触針。
【請求項４】
前記支持体に着脱自在の柄部を備えさせたことを特徴とする請求項１に記載の接触針。
【考案の詳細な説明】
【技術分野】
【０００１】
本考案は、接触針に関するものであり、特に、足裏しびれ、上下肢しびれ、指関節痛、腫れ、五十肩、頭痛、腰痛、膝痛、肘痛、筋肉痛、肩こり等の緩和ないし解消に効果のある接触針に係るものである。
【背景技術】
【０００２】
実用新案登録第３０４４３４６号公報は、吸い玉状の接触針と磁気とを使用した吸引治療具を開示している。
【特許文献１】実用新案登録第３０４４３４６号公報
【考案の開示】
【考案が解決しようとする課題】
【０００３】
しかるに、上記従来の吸引治療具は、磁石を取り付けた接触針、吸引室、圧力調整ポンプ等を備えた複雑な構造を有するものであって、製造コストが嵩むと共に使用が面倒であるという難点がある。
【０００４】
本考案は、上記従来の吸引治療具における上述の如き問題を解決し、足裏しびれ、上下肢しびれ、指関節痛、腫れ、五十肩、頭痛、腰痛、膝痛、肘痛、筋肉痛、肩こり等を効果的に緩和ないし解消させる接触針であって、構造が簡単で安価に製造することができると共に手軽に使用することができる接触針を提供しようとしてなされたものである。
【課題を解決するための手段】
【０００５】
上記課題を解決するために、本考案は下記の接触針を提供する。
【０００６】
（１）支持体と、該支持体の表面に突設した多数の針体とよりなり、
該針体は、０．０１〜０．２０ｍｍの針径と０．１〜２．０ｍｍの針長とを備え、相互に０．１〜５．０ｍｍの間隔を置いて配設されていることを特徴とする接触針（請求項１）。
【０００７】
（２）前記支持体の裏面に粘着体を設け、該粘着体は該支持体と反対側の裏面に粘着手段を備えている（請求項２）。
【０００８】
（３）前記支持体の裏面に粘着体を設け、該粘着体は該支持体側の表面に粘着手段を備えている（請求項３）。
【０００９】
（４）前記支持体に着脱自在の柄部を備えさせる（請求項４）。
【００１０】
［考案の作用］
［請求項１の考案］
支持体は表面に多数の細かな針体を備えている。これらの針体により人体の皮膚を刺激する。
【００１１】
[請求項２の考案]
粘着体の裏面に備えさせた粘着手段により、接触針を例えばコンピュータのキーボードにおける各キーに取り付ける。しかるときは、キーボードを使用することにより指先が支持体上の針体により刺激される。
【００１２】
[請求項３の考案]
粘着体の表面に備えさせた粘着手段により、接触針を人体の皮膚に貼着する。しかるときは、皮膚が支持体上の針体により刺激される。
【００１３】
[請求項４の考案]
柄部を手で把持して支持体上の針体を人体の皮膚に接触させて皮膚を刺激する。
【考案の効果】
【００１４】
［請求項１の考案］
針体は、０．０１〜０．２０ｍｍの針径と０．１〜２．０ｍｍの針長とを備え、相互に０．１〜５．０ｍｍの間隔を置いて支持体の表面に配設されているため、これらの針体は人体の皮膚を好ましく刺激し、刺激する部位により、足裏しびれ、上下肢しびれ、指関節痛、腫れ、五十肩、頭痛、腰痛、膝痛、肘痛、筋肉痛、肩こり等を効果的に緩和ないし解消させる。
【００１５】
接触針は、構造が簡単であって安価に製造することができると共に手軽に使用することができる。
【００１６】
[請求項２の考案]
粘着体の裏面に備えさせた粘着手段により、接触針をコンピュータのキーボードにおける各キーに取り付けたときには、コンピュータの使用者は指先に好ましい刺激を受け、肩こり、頭痛等が緩和ないし解消する。
【００１７】
[請求項３の考案]
粘着体の表面に備えさせた粘着手段により、接触針を人体の皮膚における所望の部位に好ましく貼着させることができる。
【００１８】
[請求項４の考案]
柄部を手で把持して支持体上の針体を人体の皮膚における所望の部位に所望の圧力で接触させて皮膚を好ましく刺激することができる。
【考案を実施するための最良の形態】
【００１９】
本考案による接触針は、支持体１と、該支持体１の表面に突設した多数の針体３、３・・・とよりなる。
【００２０】
支持体１と針体３、３・・・とは、例えばエラストマー、プラストマー、ナイロン、シリコン等により、一体的に形成する。
【００２１】
支持体１の形状は随意である。
【００２２】
図１、図４に示す支持体１は略正方形の板状体である。
【００２３】
図２、図３に示す支持体１は略円形の板状体である。
【００２４】
針体３、３・・・の形状も随意である。
【００２５】
図５に示す針体３、３・・・は、太径基部３ａ上に細径先端部３ｂを形成してなるものである。
【００２６】
図６に示す針体３、３・・・は、略截頭円錐体である。
【００２７】
図７に示す針体３、３・・・は、断面略円形の突起である。
【００２８】
針体３、３・・・の平面形状は、例えば円形、方形等とする。
【００２９】
針体３、３・・・は、０．０１〜０．２０ｍｍの針径５を有する。
【００３０】
図５に示す針体３、３・・・においては、太径基部３ａの針径５ａは０．１５ｍｍ、細径先端部３ｂの針径５ｂは０．０５ｍｍである。
【００３１】
図６、図7に示す針体３、３・・・は、０．０５ｍｍの針径５を有する。
【００３２】
針体３、３・・・は、０．１〜２．０ｍｍの針長７を有する。
【００３３】
図５に示す針体３、３・・・においては、太径基部３ａの針長７ａは０．３ｍｍ、細径先端部３ｂの針長７ｂは０．１５である。即ち、図５に示す針体３、３・・・の針長７は０．４５ｍｍである。
【００３４】
図６に示す針体３、３・・・の針長７は０．５ｍｍである。
【００３５】
図７に示す針体３、３・・・の針長７は０．３ｍｍである。
【００３６】
針体３、３・・・は、相互に０．１〜５．０ｍｍの間隔９を置いて配設される。
【００３７】
図１、図２、図５、図６に示す事例においては、支持体１の裏面に粘着体１１を設け、該粘着体１１は該支持体１と反対側の裏面に粘着手段１３を備えている。
【００３８】
図３、図７に示す事例においては、支持体１の裏面に該支持体１よりも大型の粘着体１５を設け、該粘着体１５は該支持体１側の表面に粘着手段１７を備えている。
【００３９】
粘着体１５は、例えば絆創膏とする。
【００４０】
図４に示す事例においては、支持体１に着脱自在の柄部１９を備えさせている。
【００４１】
即ち、図４に示す事例においては、柄部１９に台部２１を備えさせ、該台部２１に支持体１を例えば粘着剤により着脱自在に取り付けている。
【００４２】
本考案による接触針は、皮膚体性感覚神経に対する非侵襲皮膚刺激により自律神経の調整を行うものである。この刺激は、侵害性刺激であってもよいが、非侵害性刺激であってもよい。
【図面の簡単な説明】
【００４３】
【図１】本考案による接触針の一例を示す斜視図である。
【図２】同上接触針の別の一例を示す斜視図である。
【図３】同上接触針の更に別の一例を示す斜視図である。
【図４】同上接触針の更に別の一例を示す斜視図である。
【図５】同上接触針における針体の一例を示す断面図である。
【図６】同上接触針における針体の別の一例を示す断面図である。
【図７】同上接触針における針体の更に別の一例を示す断面図である。
【図８】同上接触針の平面図である。
【符号の説明】
【００４４】
１  支持体
３  針体
３ａ  太径基部
３ｂ  細径先端部
５  針径
５ａ  針径
５ｂ  針径
７  針長
７ａ  針長
７ｂ  針長
９  間隔
１１  粘着体
１３  粘着手段
１５  粘着体
１７  粘着手段
１９  柄部
２１  台部
【図１】
0003120940.tif 000003
【図２】
0003120940.tif 000004
【図３】
0003120940.tif 000005
【図４】
0003120940.tif 000006
【図５】
0003120940.tif 000007
【図６】
0003120940.tif 000008
【図７】
0003120940.tif 000009
【図８】
0003120940.tif 000010